(57)【要約】【課題】搬送される小切手の挿入方向が正しいか否かを磁気ヘッドの検出信号に基づいて判定する挿入方向判定手段の誤った判定を排除できる小切手処理装置を提案すること。【解決手段】小切手処理装置１は小切手６の挿入方向が正しいか否かを磁気ヘッド２３の検出信号に基づいて判定する挿入方向判定手段７６と、重送を検出するための重送検出器６２および重送判定手段６２ａと、挿入方向判定手段７６および重送判定手段６２ａにおける挿入方向判定、重送判定の有効／無効を設定する有効／無効制御手段８２と、挿入方向判定のみが有効な場合に重送判定を強制的に有効に設定する制御手段８３とを備えている。挿入方向判定手段７６が誤った判定する場合は重送が発生している場合なので、挿入方向判定が有効な場合には必ず重送判定を有効にする。また、重送の場合には、挿入方向判定を無効にすることにより、挿入方向が誤って判定される場合を排除する。【選択図】図７
2009046297.tif 000002
【特許請求の範囲】
【請求項１】
磁気インク文字が印刷されている小切手などの記録媒体を搬送路に沿って搬送し、
磁気ヘッドにより、前記搬送路における磁気インク文字読取位置を通過する前記記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
前記重送判定において重送状態であると判定された場合には、前記挿入方向判定の判定結果を無効とすることを特徴とする記録媒体処理装置の搬送状態判定方法。
【請求項２】
請求項１に記載の記録媒体処理装置の搬送状態判定方法において、
記録媒体の搬送に先立って、前記重送判定を行うか否か、あるいは、当該重送判定の結果を有効とするか無効とするかを設定するための重送判定の有効／無効の設定入力を受け付け、
当該重送判定の有効／無効が無効に設定されている場合には、前記挿入方向判定を行わないか、あるいは当該挿入方向判定の結果を無効にすることを特徴とする記録媒体処理装置の搬送状態判定方法。
【請求項３】
請求項１または２に記載の記録媒体処理装置の搬送状態判定方法において、
記録媒体の搬送に先立って、前記挿入方向判定を行うか否か、あるいは、当該挿入方向判定の結果を有効とするか無効とするかを設定するための挿入方向判定の有効／無効の設定入力を受け付け、
当該挿入方向判定の有効／無効が有効に設定されている場合には、前記重送判定の有効／無効を強制的に有効にすることを特徴とする記録媒体処理装置の搬送状態判定方法。
【請求項４】
磁気インク文字が印刷されている小切手などの記録媒体を搬送路に沿って搬送し、
磁気ヘッドにより、前記搬送路における磁気インク文字読取位置を通過する記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
記録媒体の搬送に先立って、前記重送判定を行うか否か、あるいは、当該重送判定の結果を有効とするか無効とするかを設定するための重送判定の有効／無効の設定入力を受け付け、
当該重送判定の有効／無効が無効に設定されている場合には、前記挿入方向判定を行わないか、あるいは当該挿入方向判定の結果を無効にすることを特徴とする記録媒体処理装置の搬送状態判定方法。
【請求項５】
請求項４に記載の記録媒体処理装置の搬送状態判定方法において、
記録媒体の搬送に先立って、前記挿入方向判定を行うか否か、あるいは、当該挿入方向判定の結果を有効とするか無効とするかを設定するための挿入方向判定の有効／無効の設定入力を受け付け、
当該挿入方向判定の有効／無効が有効に設定されている場合には、前記重送判定の有効／無効を強制的に有効にすることを特徴とする記録媒体処理装置の搬送状態判定方法。
【請求項６】
磁気インク文字が印刷されている小切手などの記録媒体を搬送路に沿って搬送し、
磁気ヘッドにより、前記搬送路における磁気インク文字読取位置を通過する記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
記録媒体の搬送に先立って、前記重送判定を行うか否か、あるいは、当該重送判定の結果を有効とするか無効とするかを設定するための重送判定の有効／無効の設定入力と、前記挿入方向判定を行うか否か、あるいは、当該挿入方向判定の結果を有効とするか無効とするかを設定するための挿入方向判定の有効／無効の設定入力とを受け付け、
当該挿入方向判定の有効／無効が有効に設定されている場合には、前記重送判定の有効／無効を強制的に有効にすることを特徴とする記録媒体処理装置の搬送状態判定方法。
【請求項７】
磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
当該重送検出器の検出信号に基づき、搬送される前記記録媒体が重送状態であるか否かの重送判定を行う処理と、
前記重送判定において重送状態であると判定された場合には、前記挿入方向判定の判定結果を無効とする処理とを、
前記記録媒体処理装置または前記記録媒体処理装置に接続されているコンピュータに実行させることを特徴とする記録媒体処理装置の搬送状態判定用プログラム。
【請求項８】
請求項７に記載の記録媒体処理装置の搬送状態判定用プログラムにおいて、
記録媒体の搬送に先立って、前記重送判定を行うか否か、あるいは、当該重送判定の結果を有効とするか無効とするかを設定するための重送判定の有効／無効の設定入力を受け付ける処理と、
当該重送判定の有効／無効が無効に設定されている場合には、前記挿入方向判定を行わないか、あるいは当該挿入方向判定の結果を無効にする処理とを、
前記記録媒体処理装置または前記記録媒体処理装置に接続されているコンピュータに実行させることを特徴とする記録媒体処理装置の搬送状態判定用プログラム。
【請求項９】
請求項７または８に記載の記録媒体処理装置の搬送状態判定用プログラムにおいて、
記録媒体の搬送に先立って、前記挿入方向判定を行うか否か、あるいは、当該挿入方向判定の結果を有効とするか無効とするかを設定するための挿入方向判定の有効／無効の設定入力を受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることを特徴とする記録媒体処理装置の搬送状態判定用プログラム。
【請求項１０】
磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
前記重送検出器の検出信号に基づき、搬送される前記記録媒体が重送状態であるか否かの重送判定を行う処理と、
記録媒体の搬送に先立って、前記重送判定を行うか否か、あるいは、当該重送判定の結果を有効とするか無効とするかを設定するための重送判定の有効／無効の設定入力を受け付ける処理と、
当該重送判定の有効／無効が無効に設定されている場合には、前記挿入方向判定を行わないか、あるいは当該挿入方向判定の結果を無効にする処理とを、
前記記録媒体処理装置または前記記録媒体処理装置に接続されているコンピュータに実行させることを特徴とする記録媒体処理装置の搬送状態判定用プログラム。
【請求項１１】
請求項１０に記載の記録媒体処理装置の搬送状態判定用プログラムにおいて、
記録媒体の搬送に先立って、前記挿入方向判定を行うか否か、あるいは、当該挿入方向判定の結果を有効とするか無効とするかを設定するための挿入方向判定の有効／無効の設定入力を受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることを特徴とする記録媒体処理装置の搬送状態判定用プログラム。
【請求項１２】
磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
前記重送検出器の検出信号に基づき、搬送される前記記録媒体が重送状態であるか否かの重送判定を行う処理と、
記録媒体の搬送に先立って、前記重送判定を行うか否か、あるいは、当該重送判定の結果を有効とするか無効とするかを設定するための重送判定の有効／無効の設定入力と、前記挿入方向判定を行うか否か、あるいは、当該挿入方向判定の結果を有効とするか無効とするかを設定するための挿入方向判定の有効／無効の設定入力とを受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることを特徴とする記録媒体処理装置の搬送状態判定用プログラム。
【請求項１３】
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定において重送状態であると判定された場合には、前記挿入方向判定の判定結果を無効にする制御手段と、
を有していることを特徴とする記録媒体処理装置。
【請求項１４】
請求項１３に記載の記録媒体処理装置において、
前記重送判定を行うか否か、あるいは、当該重送判定の結果を有効とするか無効とするかを設定するための重送判定の有効／無効設定手段を有し、
当該重送判定の有効／無効が無効に設定されている場合には、前記制御手段は、前記挿入方向判定を行わないか、あるいは当該挿入方向判定の結果を無効にすることを特徴とする記録媒体処理装置。
【請求項１５】
請求項１３または１４に記載の記録媒体処理装置において、
前記挿入方向判定を行うか否か、あるいは、当該挿入方向判定の結果を有効とするか無効とするかを設定するための挿入方向判定の有効／無効設定手段を有し、
当該挿入方向判定の有効／無効が有効に設定されている場合には、前記制御手段は、前記重送判定の有効／無効を強制的に有効にすることを特徴とする記録媒体処理装置。
【請求項１６】
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定を行うか否か、あるいは、当該重送判定の結果を有効とするか無効とするかを設定するための重送判定の有効／無効設定手段と、
当該重送判定の有効／無効が無効に設定されている場合には、前記挿入方向判定を行わないか、あるいは当該挿入方向判定の結果を無効にする制御手段と、
有していることを特徴とする記録媒体処理装置。
【請求項１７】
請求項１６に記載の記録媒体処理装置において、
前記挿入方向判定を行うか否か、あるいは、当該挿入方向判定の結果を有効とするか無効とするかを設定するための挿入方向判定の有効／無効設定手段を有し、
当該挿入方向判定の有効／無効が有効に設定されている場合には、前記制御手段は、前記重送判定の有効／無効を強制的に有効にすることを特徴とする記録媒体処理装置。
【請求項１８】
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定を行うか否か、あるいは、当該重送判定の結果を有効とするか無効とするかを設定するための重送判定の有効／無効設定手段と、
前記挿入方向判定を行うか否か、あるいは、当該挿入方向判定の結果を有効とするか無効とするかを設定するための挿入方向判定の有効／無効設定手段と、
当該挿入方向判定の有効／無効が有効に設定されている場合には、前記重送判定の有効／無効を強制的に有効にする制御手段と、
を有していることを特徴とする記録媒体処理装置。
【発明の詳細な説明】
【技術分野】
【０００１】
本発明は、磁気インク文字が印刷されている小切手などの記録媒体を搬送路に沿って一枚ずつ搬送しながら磁気インク文字を読み取る記録媒体処理装置に関する。より詳細には、搬送される記録媒体の挿入方向や重送などの搬送状態を判定する機能を備えた記録媒体処理装置に関する。
【背景技術】
【０００２】
磁気インク文字が印刷されている記録媒体を処理する記録媒体処理装置としては小切手類を処理するための小切手処理装置が知られている。店舗や銀行などの金融機関においては、持ち込まれた小切手、手形などの小切手類を小切手処理装置に掛けて、それらの磁気インク文字および表裏の画像を読み取り、決済処理などを行っている。
【０００３】
小切手処理装置では、小切手は搬送路に沿って一枚ずつ搬送されながら磁気ヘッド、イメージセンサなどによって磁気インク文字および表裏の画像が読み取られる。搬送路の下流端には２つの収納ポケットが形成されており、磁気インク文字の読み取りが正常に行われた小切手は第１収納ポケットに排出され、磁気インク文字を正確に読み取ることができなかった小切手は第２収納ポケットに排出されるようになっている。特許文献１には、このような小切手処理装置が開示されている。
【０００４】
小切手処理装置では、複数枚の小切手が重送状態で搬送されることがある。重送が発生すると、磁気ヘッドと対峙する側（読取側）を搬送される小切手の磁気インク文字は読み取られるが、磁気ヘッドと対峙しない側（重送側）を搬送される小切手の磁気インク文字は読み取られない。このため、小切手処理装置に掛けられた小切手と読み取られた磁気インク文字の情報とが対応しなくなり、決済処理に支障が出る。そこで、重送を検出する重送判定手段を備え、重送が発生した場合には小切手の搬送を中止する小切手処理装置が、例えば、特許文献２に開示されている。特許文献２の重送判定手段は、搬送路を搬送される小切手の厚さを検出し、その厚さが所定厚さ以上の場合には重送が発生していると判定している。
【特許文献１】特開２００４−２０６３６２号公報
【特許文献２】特開２００５−２２５６６１号公報
【発明の開示】
【発明が解決しようとする課題】
【０００５】
また、小切手処理装置には、小切手が予め定められた挿入方向とは上下の向き、および／または、表裏の向きが逆の状態で挿入されることがある。この場合には、搬送される小切手の磁気インク文字が磁気ヘッドの読取位置を通過しなくなってしまうので、磁気インク文字の読み取りができない。
【０００６】
そこで、本願出願人は、特願２００６−２９７４６４において、挿入方向が正しくない小切手を迅速に処理するために、小切手の挿入方向を判定する挿入方向判定手段を備え、挿入方向が正しくない場合には文字認識処理を行わずに小切手を第２収納ポケットに排出する小切手処理装置を提案している。挿入方向判定手段は、磁気ヘッドの検出信号の変化量が所定未満の場合には、記録媒体の上下の向きが逆であるか、若しくは記録媒体の表裏の向きが逆であると判定している。検出信号の変化量が所定以上の場合には、予め記憶されている磁気インク文字認識用の信号パターンと照合させて、記録媒体の表裏の向きを判定している。
【０００７】
しかし、この挿入方向判定手段は、重送が発生している場合に誤った判定をすることがある。例えば、読取側および重送側の小切手の挿入方向がそれぞれ正しくても、読取側の小切手の挿入方向が正しくないと判定することがある。この誤った判定は、磁気ヘッドが読取側および重送側の両方の小切手の磁気インク文字が発生させる磁界の変化を検出してしまい、検出信号と磁気インク文字認識用の信号パターンと照合させることができなった場合に発生する。
【０００８】
また、例えば、読取側の小切手の挿入方向が上下および表裏が逆向きであっても、重送側の小切手の挿入方向が正しい場合には、読取側の小切手の挿入方向が正しいと判定することがある。この誤った判定は、重送側の小切手の磁気インク文字が発生させる磁界の変化量を磁気ヘッドが検出し、この検出信号と磁気インク文字認識用の信号パターンと照合させてしまったことに起因する。
【０００９】
挿入方向が誤って判定されると、挿入方向判定手段を搭載したにもかかわらず、小切手を迅速に処理できないという問題が発生する。また、読取側の小切手に担持されている情報と読み取られた磁気インク文字の情報とが対応しなくなってしまうので、その後の決済処理などに支障が出るという問題がある。
【００１０】
ここで、上記の小切手処理装置は挿入方向判定手段とともに重送判定手段を搭載しているので、重送判定および挿入方向判定が常に一緒に行なわれるように小切手処理装置を駆動制御すれば、挿入方向が誤って判定される場合を排除できる。しかし、小切手処理装置では、重送判定を行うか否か、挿入方向判定を行うか否かは、ユーザの要求に応じて別々に設定可能になっているのが現状である。例えば、上記の小切手処理装置は、小切手が使用された証拠として小切手の表裏の画像情報を保存するために、小切手の表裏の画像情報のみを読み取る用途に使われることがある。この場合、イメージセンサによって読み取られた表裏の画像情報は小切手の挿入方向に関係なく利用することができるので、挿入方向判定は必要ない。また、磁気インク文字の読み取りを行わないにも拘わらず磁気ヘッドの検出信号から挿入方向判定を行うとすれば、画像情報の読み取り処理速度が低下してしまう。このような場合に、ユーザは、重送判定のみを行うように小切手処理装置を駆動制御することを要求するからである。
【００１１】
本発明の課題は、このような点に鑑みて、搬送路を搬送される記録媒体の挿入方向を判定する挿入方向判定手段を備える記録媒体処理装置において、挿入方向が誤って判定される場合を排除することができる記録媒体処理装置、搬送状態判定方法および搬送状態判定用プログラムを提案することにある。
【００１２】
また、重送判定を行うか否かおよび挿入方向判定を行うか否かがユーザの要求に応じて別々に設定可能になっている小切手処理装置において、挿入方向が誤って判定される場合を排除することができる記録媒体処理装置、搬送状態判定方法および搬送状態判定用プログラムを提案することにある。
【課題を解決するための手段】
【００１３】
上記の課題を解決するために、本発明の記録媒体処理装置の搬送状態判定方法は、
磁気インク文字が印刷されている小切手などの記録媒体を搬送路に沿って搬送し、
磁気ヘッドにより、前記搬送路における磁気インク文字読取位置を通過する前記記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
前記重送判定において重送状態であると判定された場合には、前記挿入方向判定の判定結果を無効とすることを特徴とする。
【００１４】
磁気ヘッドの検出信号に基づいて搬送される記録媒体の挿入方向を判定する小切手処理装置では、重送が発生していると、磁気ヘッドが重送側の記録媒体に印刷されている磁気インク文字が発生させる磁界の変化を検出してしまい、挿入方向を誤って判定することがある。このような誤った判定を排除するために、本発明では、重送状態であると判定された場合には挿入方向判定の判定結果を無効とするようにしている。この結果、挿入方向の誤った判定に基づいて記録媒体の処理が行われることを回避できる。
【００１５】
本発明において、記録媒体の搬送に先立って、前記重送判定を行うか否か、あるいは、当該重送判定の結果を有効とするか無効とするかを設定するための重送判定の有効／無効の設定入力を受け付け、
当該重送判定の有効／無効が無効に設定されている場合には、前記挿入方向判定を行わないか、あるいは当該挿入方向判定の結果を無効にすることが望ましい。このようにすれば、挿入方向判定のみが有効になることを回避できるので、挿入方向が誤って判定される場合を排除することができる。また、重送判定の設定を優先しながら、挿入方向判定の有効／無効の設定を行うことができる。
【００１６】
また、本発明において、記録媒体の搬送に先立って、前記挿入方向判定を行うか否か、あるいは、当該挿入方向判定の結果を有効とするか無効とするかを設定するための挿入方向判定の有効／無効の設定入力を受け付け、
当該挿入方向判定の有効／無効が有効に設定されている場合には、前記重送判定の有効／無効を強制的に有効にすることを特徴とすることが望ましい。このようにすれば、挿入方向判定を有効に設定した場合には必ず重送判定が行われるので、挿入方向が誤って判定される場合を排除できる。
【００１７】
次に、本発明の記録媒体処理装置の搬送状態判定方法は、
磁気インク文字が印刷されている小切手などの記録媒体を搬送路に沿って搬送し、
磁気ヘッドにより、前記搬送路における磁気インク文字読取位置を通過する記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
記録媒体の搬送に先立って、前記重送判定を行うか否か、あるいは、当該重送判定の結果を有効とするか無効とするかを設定するための重送判定の有効／無効の設定入力を受け付け、
当該重送判定の有効／無効が無効に設定されている場合には、前記挿入方向判定を行わないか、あるいは当該挿入方向判定の結果を無効にすることを特徴とする。
【００１８】
本発明によれば、重送判定の有効／無効が設定可能になっており、記録媒体の搬送に先立って重送判定が無効に設定されている場合には、挿入方向判定を無効に設定する。この結果、挿入方向判定のみが有効になることを回避できるので、挿入方向が誤って判定される場合を排除できる。また、重送判定の有効／無効の設定を優先して、挿入方向判定の有効／無効を設定することができる。
【００１９】
また、挿入方向判定の有効／無効の設定が可能になっている場合に、挿入方向判定が単独で行われることを回避して、挿入方向が誤って判定される場合を排除するためには、記録媒体の搬送に先立って、前記挿入方向判定を行うか否か、あるいは、当該挿入方向判定の結果を有効とするか無効とするかを設定するための挿入方向判定の有効／無効の設定入力を受け付け、
当該挿入方向判定の有効／無効が有効に設定されている場合には、前記重送判定の有効／無効を強制的に有効にすることが望ましい。
【００２０】
次に本発明の記録媒体処理装置の搬送状態判定方法は、
磁気インク文字が印刷されている小切手などの記録媒体を搬送路に沿って搬送し、
磁気ヘッドにより、前記搬送路における磁気インク文字読取位置を通過する記録媒体の磁気インク文字を読み取り、
前記磁気ヘッドの検出信号に基づき、搬送される前記記録媒体の上下の向き、および／または、表裏の向きが逆であるか否かの挿入方向判定を行い、
搬送される前記記録媒体が重送状態であるか否かの重送判定を行い、
記録媒体の搬送に先立って、前記重送判定を行うか否か、あるいは、当該重送判定の結果を有効とするか無効とするかを設定するための重送判定の有効／無効の設定入力と、前記挿入方向判定を行うか否か、あるいは、当該挿入方向判定の結果を有効とするか無効とするかを設定するための挿入方向判定の有効／無効の設定入力とを受け付け、
当該挿入方向判定の有効／無効が有効に設定されている場合には、前記重送判定の有効／無効を強制的に有効にすることを特徴とする。
【００２１】
本発明によれば、重送判定の有効／無効の設定および挿入方向判定の有効／無効の設定を個別にすることが可能な場合でも、挿入方向判定が単独で行われることを回避して、挿入方向が誤って判定される場合を排除することができる。すなわち、本発明によれば、重送判定が無効で挿入方向判定が有効という設定のパターンは除かれて、重送判定のみが有効、重送判定および挿入方向判定の双方が有効、および、重送判定および挿入方向判定の双方が無効という３つの設定のパターンのみが設定可能になる。
【００２２】
次に、本発明は、磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
当該重送検出器の検出信号に基づき、搬送される前記記録媒体が重送状態であるか否かの重送判定を行う処理と、
前記重送判定において重送状態であると判定された場合には、前記挿入方向判定の判定結果を無効とする処理とを、
前記記録媒体処理装置または前記記録媒体処理装置に接続されているコンピュータに実行させることを特徴とする。
【００２３】
本発明の記録媒体処理装置の搬送状態判定用プログラムによれば、重送状態であると判定された場合には挿入方向判定の判定結果を無効とするので、挿入方向が誤って判定される場合を排除することができる。また、このような処理を搬送状態判定用プログラムとして提供することにより、記録媒体処理装置または記録媒体処理装置に接続されているコンピュータに実行させることができる。
【００２４】
本発明において、重送判定が無効に設定されている場合に、挿入方向判定が単独で有効になることを回避するためには、記録媒体の搬送に先立って、前記重送判定を行うか否か、あるいは、当該重送判定の結果を有効とするか無効とするかを設定するための重送判定の有効／無効の設定入力を受け付ける処理と、
当該重送判定の有効／無効が無効に設定されている場合には、前記挿入方向判定を行わないか、あるいは当該挿入方向判定の結果を無効にする処理とを、
前記記録媒体処理装置または前記記録媒体処理装置に接続されているコンピュータに実行させることが望ましい。
【００２５】
また、挿入方向判定が単独で有効になることを回避するためには、記録媒体の搬送に先立って、前記挿入方向判定を行うか否か、あるいは、当該挿入方向判定の結果を有効とするか無効とするかを設定するための挿入方向判定の有効／無効の設定入力を受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることが望ましい。
【００２６】
次に、本発明は、磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
前記重送検出器の検出信号に基づき、搬送される前記記録媒体が重送状態であるか否かの重送判定を行う処理と、
記録媒体の搬送に先立って、前記重送判定を行うか否か、あるいは、当該重送判定の結果を有効とするか無効とするかを設定するための重送判定の有効／無効の設定入力を受け付ける処理と、
当該重送判定の有効／無効が無効に設定されている場合には、前記挿入方向判定を行わないか、あるいは当該挿入方向判定の結果を無効にする処理とを、
前記記録媒体処理装置または前記記録媒体処理装置に接続されているコンピュータに実行させることを特徴とする。このようにすれば、重送判定の設定を優先しながら、挿入方向判定のみが有効になることを回避できるので、挿入方向が誤って判定される場合を排除できる。
【００２７】
また、挿入方向判定のみが有効になることを回避して、挿入方向が誤って判定される場合を排除するためには、記録媒体の搬送に先立って、前記挿入方向判定を行うか否か、あるいは、当該挿入方向判定の結果を有効とするか無効とするかを設定するための挿入方向判定の有効／無効の設定入力を受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることが望ましい。
【００２８】
次に、本発明は、磁気インク文字が印刷されている小切手などの記録媒体を搬送路に沿って搬送させ、磁気ヘッドにより、前記搬送路における磁気インク文字読取位置を通過する前記記録媒体の磁気インク文字を読み取らせ、搬送される前記記録媒体の重送状態を検出するための重送検出器の検出信号および前記磁気ヘッドの検出信号に基づき、搬送される前記記録媒体の搬送状態を判定する記録媒体処理装置の搬送状態判定用プログラムであって、
前記磁気ヘッドの検出信号に基づき、搬送される前記記録媒体の上下の向き、および／または、表裏の向きが逆であるか否かの挿入方向判定を行う処理と、
前記重送検出器の検出信号に基づき、搬送される前記記録媒体が重送状態であるか否かの重送判定を行う処理と、
記録媒体の搬送に先立って、前記重送判定を行うか否か、あるいは、当該重送判定の結果を有効とするか無効とするかを設定するための重送判定の有効／無効の設定入力と、前記挿入方向判定を行うか否か、あるいは、当該挿入方向判定の結果を有効とするか無効とするかを設定するための挿入方向判定の有効／無効の設定入力とを受け付ける処理と、
当該挿入方向判定の有効／無効が有効に設定されている場合には、前記重送判定の有効／無効を強制的に有効にする処理とを、
前記記録媒体処理装置または前記記録媒体処理装置に接続されているコンピュータに実行させることを特徴とする。
【００２９】
本発明によれば、記録媒体の搬送に先立って、重送判定の有効／無効の設定および挿入方向判定の有効／無効の設定を個別にすることが可能な場合でも、挿入方向判定が単独で行われることを回避して、挿入方向が誤って判定される場合を排除することができる。
【００３０】
次に、本発明の記録媒体処理装置は、
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定において重送状態であると判定された場合には、前記挿入方向判定の判定結果を無効にする制御手段と、
を有していることを特徴とする。
【００３１】
本発明の記録媒体処理装置によれば、重送状態であると判定された場合には、制御手段が挿入方向判定の判定結果を無効にするので、挿入方向が誤って判定される場合を排除することができる。
【００３２】
本発明において、前記重送判定を行うか否か、あるいは、当該重送判定の結果を有効とするか無効とするかを設定するための重送判定の有効／無効設定手段を有し、
当該重送判定の有効／無効が無効に設定されている場合には、前記制御手段は、前記挿入方向判定を行わないか、あるいは当該挿入方向判定の結果を無効にすることが望ましい。
【００３３】
また、前記挿入方向判定を行うか否か、あるいは、当該挿入方向判定の結果を有効とするか無効とするかを設定するための挿入方向判定の有効／無効設定手段を有し、
当該挿入方向判定の有効／無効が有効に設定されている場合には、前記制御手段は、前記重送判定の有効／無効を強制的に有効にすることが望ましい。
【００３４】
次に、本発明の記録媒体処理装置は、
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定を行うか否か、あるいは、当該重送判定の結果を有効とするか無効とするかを設定するための重送判定の有効／無効設定手段と、
当該重送判定の有効／無効が無効に設定されている場合には、前記挿入方向判定を行わないか、あるいは当該挿入方向判定の結果を無効にする制御手段と、
を有していることを特徴とする。
【００３５】
本発明において、前記挿入方向判定を行うか否か、あるいは、当該挿入方向判定の結果を有効とするか無効とするかを設定するための挿入方向判定の有効／無効設定手段を有し、
当該挿入方向判定の有効／無効が有効に設定されている場合には、前記制御手段は、前記重送判定の有効／無効を強制的に有効にすることが望ましい。
【００３６】
次に、本発明の記録媒体処理装置は、
磁気インク文字が印刷されている小切手などの記録媒体を搬送する搬送路と、
この搬送路における予め定められた磁気インク文字読取位置を通過する記録媒体の磁気インク文字を読み取る磁気ヘッドと、
搬送される前記記録媒体の重送状態を検出するための重送検出器と、
前記磁気ヘッドの検出信号に基づき、搬送される前記記録媒体の上下の向き、および／または、表裏の向きが逆であるか否かの挿入方向判定を行う挿入方向判定手段と、
当該重送検出器の検出信号に基づき、搬送される前記記録媒体が重送状態であるか否かの重送判定を行う重送判定手段と、
前記重送判定を行うか否か、あるいは、当該重送判定の結果を有効とするか無効とするかを設定するための重送判定の有効／無効設定手段と、
前記挿入方向判定を行うか否か、あるいは、当該挿入方向判定の結果を有効とするか無効とするかを設定するための挿入方向判定の有効／無効設定手段と、
当該挿入方向判定の有効／無効が有効に設定されている場合には、前記重送判定の有効／無効を強制的に有効にする制御手段と、
を有していることを特徴とする。
【発明の効果】
【００３７】
磁気ヘッドの検出信号に基づいて搬送される記録媒体の挿入方向を判定する小切手処理装置では、重送が発生していると、磁気ヘッドが重送側の記録媒体に印刷されている磁気インク文字が発生させる磁界の変化を検出して、挿入方向を誤って判定することがある。このような誤った判定を排除するために、本発明では、重送状態であると判定された場合には挿入方向判定の判定結果を無効とするようにしている。この結果、挿入方向の誤った判定に基づいて記録媒体の処理が行われることを回避できる。
【００３８】
また、記録媒体の搬送に先立って、重送判定の有効／無効および挿入方向判定の有効／無効が別々に設定可能になっている場合には、挿入方向判定のみが有効になる設定のパターンが除かれるようになっている。この結果、挿入方向判定が行われる場合には、必ず重送判定が行われるので、挿入方向について誤って判定される場合を排除できる。
【発明を実施するための最良の形態】
【００３９】
以下に、図面を参照して、本発明を採用した小切手処理装置の実施の形態を説明する。
【００４０】
（全体構成）  
図１（ａ）および（ｂ）は本実施の形態に係る小切手処理装置を示す斜視図および平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は細幅の垂直溝によって規定されており、略Ｕ字状をしている。小切手搬送路７は小切手搬送方向の上流側から上流側搬送路部分８、湾曲状搬送路部分９、および下流側搬送路部分１０を備えている。上流側搬送路部分８の上流端は広幅の垂直溝からなる小切手供給部１１に繋がっている。下流側搬送路部分１０の下流端は小切手収納部１２に繋がっている。小切手収納部１２は、下流側搬送路部分１０の下流端に繋がっている細幅の垂直溝からなる第１および第２分岐通路１３、１４と、これらの下流端に繋がっている第１収納ポケット１５および第２収納ポケット１６とを備えている。第１および第２分岐通路１３、１４の分岐部分には、下流側搬送路部分１０から排出される小切手６を第１または第２収納ポケット１５、１６に振り分けるための切換えレバー１７が配置されている。
【００４１】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａが略Ｕ形状の小切手搬送路７の外側を向くように、小切手供給部１１に挿入される。
【００４２】
小切手搬送路７には、図１（ｂ）において点線で示すように、小切手６の表面６ａ画像を読み取るための表面側コンタクトイメージスキャナ２１、その裏面６ｂ画像を読み取るための裏面側コンタクトイメージスキャナ２２、その磁気インク文字列６Ａを読み取るための磁気ヘッド２３、その表面６ａに「電子決済済み」などの印刷を行う印刷機構２４がこの順序に配置されている。磁気ヘッド２３における磁気インク文字読取位置は、搬送路上において正しい向きで搬送されている小切手６の磁気インク文字列６Ａが通過する位置を包含するように配置されている。
【００４３】
小切手供給部１１から送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、切換えレバー１７によって第１収納ポケット１５に振り分けられて、この収納ポケット１５に収納される。読取不能、読取異常などが発生した小切手６については、そのような印刷が行われることなく、第２収納ポケット１６に振り分けられて、この収納ポケット１６に収納される。
【００４４】
（内部構造）
図２は小切手処理装置１の内部構造を示す説明図である。小切手供給部１１には、ここに積層状態で挿入された小切手６を小切手搬送路７に１枚ずつ送り出すための送り出しモータ３０を備えた小切手送り出し機構が配置されている。
【００４５】
小切手６を小切手搬送路７に沿って搬送する搬送機構は、搬送モータ３１と、この搬送モータ３１の回転軸に取り付けた駆動プーリ３２と、小切手搬送路７に沿って配置されている搬送ローラ４１〜４７と、各搬送ローラ４１〜４７に押し付けられて連れ回りする押えローラ５１〜５７とを備えている。押えローラ５７の回転は、伝達歯車５８を介して、排出ローラ５９に伝達されるようになっている。また、搬送モータ３１の回転を各搬送ローラ４１〜４７に伝達するための無端ベルト３３を備えており、搬送ローラ４１〜４７に動力を伝達する。
【００４６】
搬送ローラ４１〜４４は、上流側搬送路部分８における上流端、その中程の位置、および湾曲状搬送路部分９との境界位置にそれぞれ配置されている。搬送ローラ４５は湾曲状搬送路部分９における下流側の位置に配置されている。搬送ローラ４６は、下流側搬送路部分１０における中程の位置に配置されており、搬送ローラ４７は第２収納ポケット１６の排出口部分に配置されている。排出ローラ５９は第１収納ポケット１５の排出口部分に配置されている。
【００４７】
搬送ローラ４２、４３の間には、表面画像読取手段としての表面側コンタクトイメージスキャナ２１および裏面画像読取手段としての裏面側コンタクトイメージスキャナ２２が配置されている。搬送ローラ４３、４４の間には、磁気インク文字読取用の磁気ヘッド２３が配置されている。
【００４８】
下流側搬送路部分１０における搬送ローラ４６の下流側には印刷機構２４が配置されている。印刷機構２４は小切手６に押圧される印刷位置と、この印刷位置から後退した待機位置の間を、駆動用モータ（図示せず）によって移動可能となっている。
【００４９】
次に、小切手搬送路７には、小切手６搬送制御のために各種のセンサが配置されている。搬送ローラ４１、４２の間には、送り出される小切手６の長さを検出するための用紙長検出器６１が配置されている。磁気ヘッド２３の対向面には、小切手６が重なった状態で搬送されていることを検出するための重送検出器６２が配置されている。搬送ローラ４５の手前側の位置にはジャム検出器６３が配置されており、この検出器６３によって所定時間以上に亘って継続して小切手６が検出されている場合には、小切手搬送路７に小切手６が詰まった紙詰まり状態になったことが分かる。搬送ローラ４６の手間側の位置には、印刷機構２４によって印刷される小切手６の有無を検出するための印刷検出器６４が配置されている。さらに、下流側搬送路部分１０から第１、第２収納ポケット１５、１６に分岐している第１および第２分岐通路１３、１４の位置には、これらに排出される小切手６を検出するための排出検出器６５が配置されている。
【００５０】
第１および第２分岐通路１３、１４の分岐部分には、不図示の駆動モータによって切り替え操作される切換えレバー１７が配置されている。切換えレバー１７は、第１、第２収納ポケット１５、１６に対して、下流側搬送路部分１０の下流端を選択的に切り替え、小切手６を選択された排出部に導く。
【００５１】
（重送検出器）
重送検出器６２は、磁気ヘッド２３の磁気インク文字読取位置を通過する小切手６の厚さを検出するものであり、図３はその構成例を説明するための概略平面図である。
【００５２】
図３に示すように、磁気ヘッド２３に上流側搬送路部分８を介して対向する位置には、搬送されてくる小切手６を磁気ヘッド２３に押し付けるための押付けレバー６６が配置されている。重送検出器６２は、この押付けレバー６６と、押付けレバー６６が上流側搬送路部分８を搬送されてくる小切手６を押し付けるときの変位量を検出する変位センサ６７とから構成されている。
【００５３】
押付けレバー６６は棒状の部材であり一方の端部分に貫通させた回転軸６８を中心に回動可能に支持されている。他方の端部分は変位センサ６７の側に向って屈曲しており、この端面が変位センサ６７と対向する検出部位６６ａとなっている。押付けレバー６６の略中央部分からは磁気ヘッド２３の側に向けて押付突起６６ｂが突出している。押付けレバー６６は不図示のバネ部材によって磁気ヘッド２３の側に向けて付勢されており、押付突起６６ｂは、上流側搬送路部分８を小切手６が通過していないときには磁気ヘッド２３に当接するようになっている。
【００５４】
小切手６が磁気ヘッド２３と押付突起６６ｂとの間を通過すると、押付けレバー６６は小切手６の厚さに応じて磁気ヘッド２３から離れる方向へ回動する。変位センサ６７は、回動した押付けレバー６６の検出部位６６ａの変化量を検出する。この変化量が、例えば、小切手６の厚さに対応する所定の変化量を超えている場合には、小切手が重送状態であると判定する。
【００５５】
なお、表面側および裏面側コンタクトイメージスキャナ２１、２２を重送検出器とし、これらによって読み取られた画像情報を解析することによって、例えば、得られた画像情報に２枚の小切手の画像情報が含まれている場合に重送状態であると判定することもできる。
【００５６】
（制御系）
図４は小切手処理装置の制御系を示す概略ブロック図である。小切手処理装置１の制御系は、ＣＰＵ、ＲＯＭ、ＲＡＭ等を備えて構成された制御部７１を有している。制御部７１は通信ケーブル７２を介して上位のコンピュータシステム７３に接続される。
【００５７】
コンピュータシステム７３は表示器７３ａ、キーボード、マウスなどの操作部７３ｂなどの入出力機器を備えており、当該コンピュータシステム７３の側から小切手６読み取り動作の開始指令や、センサ等の動作を有効または無効を設定する制御指令などが入力される。制御部７１は開始指令に従って、送り出しモータ３０を駆動して小切手供給部１１から小切手６を一枚ずつ小切手搬送路７に送り出させ、送り出された小切手６を小切手搬送路７に沿って搬送させる。
【００５８】
制御部７１には、表面側コンタクトイメージスキャナ２１、裏面側コンタクトイメージスキャナ２２および磁気ヘッド２３によって読み取られた小切手６の表面画像情報、裏面画像情報および磁気インク文字情報が入力される。磁気ヘッド２３は、磁気インク文字読取位置を通過する磁気インク文字列６Ａによって形成される磁界の変化によって発生する起電力を検出信号として出力する。検出信号は信号処理回路７４を介して、増幅および波形整形後にデジタル信号に変換されて制御部７１に入力される。これらの入力情報は、制御部７１からコンピュータシステム７３に供給され、画像処理、文字認識処理などが行われ、読み取りが正常に行われたか否かが判断され、制御部７１は判断結果に基づき印刷機構２４および切換えレバー１７の駆動を制御して、読み取り後の小切手６を第１および第２収納ポケット１５、１６のいずれかに振り分ける。
【００５９】
また、制御部７１には小切手搬送路７に配置されている用紙長検出器６１、重送検出器６２、ジャム検出器６３、印刷検出器６４および排出検出器６５からの検出信号が入力され、制御部７１はこれらの検出信号に基づいて小切手６の搬送制御を行う。また、制御部７１には、本体ケース２に形成された電源スイッチなどの操作スイッチを含む操作部７５が接続されている。
【００６０】
ここで、コンピュータシステム７３においては、磁気ヘッド２３の検出信号に基づいて小切手６の上下の向き、および／または、表裏の向きが逆であるか否かを判定する挿入方向判定手段７６を備えている。挿入方向判定手段７６は、文字認識手段７７並びに第１および第２判定手段７８、７９を備えている。
【００６１】
文字認識手段７７は、磁気ヘッド２３の検出信号波形の変化量が所定以上である場合に、検出信号を、各磁気インク文字の検出信号波形に対応するデジタルデータパターン（表文字信号パターン）８０と照合して、各磁気インク文字をパターン認識する。また、検出信号を表文字信号パターン８０と照合できた場合には、小切手６の向きが所定方向を向いた正しい状態で搬送されていると判定するものである。
【００６２】
第１判定手段７８は、小切手６の上下が逆であること、あるいは、磁気インク文字が印刷されていない小切手６以外の紙葉類が送り込まれたことを判定するものである。磁気ヘッド２３の検出信号に基づいて、検出信号波形の変化量が所定未満の場合には、小切手６の方向が正しくないもの、あるいは小切手以外の紙葉類が送り込まれたものと判定する。
【００６３】
第２判定手段７９は、磁気ヘッド２３の検出信号波形の変化量が所定以上である場合に、検出信号を磁気ヘッド２３によって小切手６の磁気インク文字を裏面６ｂ側から読み取った場合に得られる検出信号波形に対応するデジタルデータパターン（裏文字信号パターン）８１と照合して、小切手６が表裏逆の状態で搬送されていることを判定する。
【００６４】
なお、図４において一点鎖線で示すように、挿入方向判定手段７６は小切手処理装置１の制御部７１の側に持たせることができる。
【００６５】
次に、制御部７１は、制御部７１は重送検出器６２の検出信号に基づいて小切手の重送状態を判定する重送判定手段６２ａを備えている。また、コンピュータシステム７３からの制御指令に基づいて、挿入方向判定手段７６による挿入方向判定を行うか否かおよび重送判定手段６２ａによる重送判定を行うか否かをそれぞれ設定する有効／無効設定手段８２を備えている。また、挿入方向判定のみが有効に設定されている場合には、重送判定を強制的に有効に設定する制御手段８３を備えている。
【００６６】
（挿入方向判定処理動作）
ここで、挿入方向判定手段７６による小切手６の向きの挿入方向判定処理動作を詳細に説明する。図５（ａ）、（ｂ）は、磁気ヘッド２３の検出信号Ｓ１に基づき、搬送される小切手６の向きが所定方向か否かを判定するための挿入方向判定処理動作を示す説明図および概略フローチャートである。
【００６７】
図５（ａ）は小切手６の搬送姿勢を示しており、６（１）は正常な挿入姿勢の小切手であり、６（２）は表裏および上下が逆の姿勢の小切手である。６（３）は上下および前後が逆の姿勢の小切手であり、６（４）は表裏および前後が逆の小切手である。小切手６（２）、６（３）では、磁気インク文字列６Ａの位置が正常な姿勢の小切手６（１）とは上下が逆になっており、磁気ヘッド２３により磁気インク文字列６Ａを読み取ることが不能である。小切手６（４）では、磁気インク文字列６Ａが磁気ヘッド２３によって裏面６ｂ側から読み取られることになる。本例では、このような小切手６の向きを磁気ヘッド２３の検出信号から判定している。
【００６８】
挿入方向判定処理動作は、図５（ｂ）に示すように、まず、磁気ヘッド２３の検出信号が実質的に変化するか否かを判定する（ステップＳＴ１１）。すなわち、検出信号の信号波形の振幅が所定幅以上に振れるか否かを判定する。小切手６（２）、６（３）の場合には、磁気ヘッド２３によって磁気インク文字列６Ａを読み取ることができず、検出信号が実質的に変化しないので、搬送されている小切手６が、上下が逆になっている小切手６（２）、６（３）であると判定できる（ステップＳＴ１５）。あるいは、磁気インク文字列６Ａが印刷されていない小切手６以外の用紙であると判定できる。また、小切手６（４）の表裏逆の状態の場合で紙厚が厚いときは、磁気ヘッド２３の検出信号の信号波形の振幅が、所定幅以上に振れないことがある。この場合も、判定することができる（ステップＳＴ１５）。
【００６９】
検出信号が変化している場合には、検出信号を、予め記憶保持されている表文字信号パターン８０と照合して文字認識処理を行う（ステップＳＴ１２）。文字認識を行うことができる場合には、小切手６は正常な姿勢で搬送されていると判定される（ステップＳＴ１４）。すなわち、小切手６（１）の状態であると判定できる。
【００７０】
文字認識が不能の場合には、検出信号を予め記憶保持されている裏面側文字信号パターン８１と照合して文字認識処理を行う（ステップＳＴ１６）。これにより文字認識を行うことができた場合には、小切手６は小切手６（４）の表裏逆の状態で搬送されているものと判定できる（ステップＳＴ１８）。
【００７１】
文字認識が不能の場合には小切手６は上下が逆の搬送状態６（２）、６（３）であると判定される（ステップＳＴ１９）。ここで、上下の逆の判定は、ステップＳＴ１１において検出信号の変化の有無に基づいて行っている。しかしながら、小切手６には、表面６ａ全体に磁気インク文字によって背景模様などが印刷されている種類のものもある。このような小切手６では、上下が逆であっても磁気ヘッド２３の検出信号が変化するので、検出信号の変化の有無に基づく上下の判定ができない。本例では、裏面６ｂ側文字信号パターンと照合することにより、このような小切手６であっても、その上下の逆を判定できる。
【００７２】
（挿入方向判定および重送判定の有効／無効の設定処理動作）
次に、小切手処理装置１における挿入方向判定および重送判定の有効／無効の設定動作を説明する。図６（ａ）は挿入方向判定および重送判定の有効／無効の設定の組み合わせ表であり、図６（ｂ）は挿入方向判定および重送判定の有効／無効の設定動作を示す概略フローチャートである。
【００７３】
まず、小切手処理装置１では、コンピュータシステム７３からの制御指令によって、有効／無効設定手段８２が挿入方向判定の有効／無効および重送判定の有効／無効をそれぞれを設定するようになっている。すなわち、図６（ａ）に示すように、挿入方向判定および重送判定の両方が無効の第１パターン、重送判定のみが有効の第２パターン、挿入方向判定のみが有効の第３パターン、挿入方向判定および重送判定の両方が有効の第４パターンの設定が可能である。
【００７４】
しかし、読み取り開始指令が入力された時点で第３パターンに設定されている場合には、挿入方向判定および重送判定の両方が有効の第４パターンに強制的に移行する。挿入方向判定のみが単独で有効になることを排除するためである。
【００７５】
図６（ｂ）を参照して具体的に説明すると、操作者が上位のコンピュータシステム７３の操作部７３ｂから読み取り開始指令を入力すると、制御手段８３は、挿入方向判定が有効に設定されているか否かを検出する（ステップＳＴ２１）。挿入方向判定が有効になっている場合には、制御手段８３は重送判定が有効に設定されているか否かを検出する（ステップＳＴ２２）。重送判定が無効になっている場合には、制御手段８３は重送判定の有効／無効を強制的に有効に設定する（ステップＳＴ２３）。しかる後に、送り出しモータ３０が駆動されて小切手収納部１１から小切手６が小切手搬送路７へ送り出される。
【００７６】
一方、ステップＳＴ２１において挿入方向判定が無効に設定されていることが検出された場合には、重送判定の有効／無効の設定にかかわらず、送り出しモータ３０が駆動されて小切手６が小切手搬送路７へ送り出される。  
【００７７】
なお、制御手段８３は小切手処理装置１が読み取り開始指令を受信した時に各機能の動作の設定を検出し、必要に応じて重送判定を有効に設定しているが、小切手処理装置１の電源投入時に各機能の動作の設定を検出して、必要に応じて重送判定を有効に設定するようにしてもよい。また、読み取り開始命令受信時および電源投入時において各機能の動作の設定を検出してもよい。
【００７８】
また、制御手段８３は挿入方向判定の設定を検出した後に重送判定の設定を検出しているが、制御手段８３は挿入方向判定のみが有効に設定されている状態を検出した場合には、重送検出器６２による重送判定を強制的に有効に設定するようになっているので、挿入方向判定および重送判定の設定を検出する順番はこの逆でもよい。
【００７９】
（搬送状態判定処理動作）
図７は本例の小切手処理装置の搬送状態判定処理動作を示す概略フローチャートであり、挿入方向判定および重送判定の設定の両方が有効に設定された状態で搬送状態を判定する動作を示している。
【００８０】
小切手搬送路７に送り出された小切手６が小切手搬送路７に沿って搬送されると、搬送されている小切手６の表面画像および裏面画像、並びに磁気インク文字列Ａが、それぞれ、表面側コンタクトイメージスキャナ２１、裏面側コンタクトイメージスキャナ２２および磁気ヘッド２３によって読み取られる。読み取られた情報は、通信ケーブル７２を介して上位のコンピュータシステム７３に送信される。ここで、挿入方向判定は有効に設定されているので、コンピュータシステム７３では搬送されている小切手６の挿入方向が正しいか否かの判定を行う（ステップＳＴ３１）。
【００８１】
小切手６の挿入方向が正しいと判断された場合には、コンピュータシステム７３は重送状態であると判定されているか否かを確認し（ステップＳＴ３２）、重送状態でない場合には、読み取られた情報が正確であるものと判断して第１処理内容を行う（ステップＳＴ３３）。
【００８２】
一方、ステップＳＴ３２で重送状態であると判定された場合には第１処理内容とは異なる第２処理内容を行う（ステップＳＴ３４）。これは、挿入方向判定によって小切手６の挿入方向が正しいと判定されていても、重送状態の場合には、判定結果が誤っている場合があるからである。
【００８３】
誤っている場合とは、読取側の小切手の挿入方向が上下および表裏が逆向きであっても、重送側の小切手の挿入方向が正しい場合には、読取側の小切手の挿入方向が正しいと判定される場合である。この誤った判定は、重送側の小切手の磁気インク文字が発生させる磁界の変化量を磁気ヘッド２３が検出し、文字認識手段７７がこの検出信号と表文字信号パターン８０と照合させてしまったことに起因する。このような誤った判定が行われると読取側の小切手が担持している情報と読み取られた磁気インク文字の情報とが対応しなくなってしまうので、第１処理内容とは異なる処理内容の処理を行うようにしてある。
【００８４】
次に、ステップＳＴ３１において小切手６の挿入方向が正しくないと判断された場合には、コンピュータシステム７３は重送状態であると判定されているか否かを確認する（ステップＳＴ３５）。重送状態でない場合には、情報が読み取られた小切手６は、正しい向きで搬送されていないか、または種類が不正な記録媒体であるとして、第３処理内容を行う（ステップＳＴ３６）。
【００８５】
一方、ステップＳＴ３５で重送状態であると判定された場合には、読み取られた情報から磁気インク文字を正確に読取ることができない可能性が高い。また、挿入方向判定によって小切手６の挿入方向が異常であると判定されていても、その判定が誤った判定の場合がある。従って、第２処理内容を行う（ステップＳＴ３４）。
【００８６】
誤った判定の場合とは、例えば、読取側および重送側の小切手の挿入方向がそれぞれ正しくても、読取側の小切手の挿入方向が正しくないと判定される場合である。この誤った判定は、磁気ヘッド２３が読取側および重送側の両方の小切手の磁気インク文字が発生させる磁界の変化を検出してしまい、文字認識手段７７が検出信号と表文字信号パターン８０と照合させることができなかった場合に発生する。
【００８７】
ここで、第１処理内容は、磁気インク文字列Ａを正常に読み取ることができた場合に行われる処理であり、小切手６を搬送して印刷機構２４によって裏書き用の印刷を行い、第１収納ポケット１５の側に排出する処理とすることができる。
【００８８】
第２処理内容は、磁気ヘッド２３よりも下流側で行われる全ての処理を中止して、小切手６を第２収納ポケット１６の側に排出する処理とすることができる。また、磁気インク文字の情報および表裏の画像情報が得られていても、それらを用いた決済等を中止する処理とすることができる。
【００８９】
第３処理内容は、第２処理内容と同様の処理とすることができる。あるいは、挿入方向判定手段７６の判定結果に基づいて、さらに細分化した処理内容とすることもできる。
【００９０】
例えば、小切手６の挿入方向が表裏逆向きで搬送されてきたと判定されている場合には、裏文字信号パターン８１を利用して第２判定手段７９が読み取った磁気インク文字の情報を文字認識結果として採用する。また、読み取られている表裏の画像情報を入れ替える。これらの処理を行えば、磁気インク文字列Ａを正常に読み取ることができた場合と同様の処理状態になるので、コンピュータシステム７３においてこれらの処理を施した後に第１処理内容の処理を行う。
【００９１】
また、小切手６の挿入方向が上下逆向きで搬送されてきたと判定されている場合には、読み取られている表裏の画像情報の上下に向きを逆にすれば、画像情報を再び読み込む必要がない。従って、上下に向きを逆にする画像処理、および、操作者が小切手収納部１２へ排出される小切手６から目視で磁気インク文字を読み取ってコンピュータシステム７３に入力することを前提として、第１処理内容と同様の処理を行うようにことができる。
【００９２】
なお、第１処理内容から第３処理内容のうちのいずれかの処理が行われると、送り出しモータ３０が駆動されて、小切手供給部１１にある次の小切手６が小切手搬送路７に送り出される。
【００９３】
（本形態の効果）
本例の小切手処理装置１では、挿入方向判定が有効に設定されている場合には重送判定が必ず有効になるように設定される。この結果、挿入方向判定手段７６が小切手の挿入方向について誤った判定をしてしまう場合を排除しながら、小切手６に適切な処理を行うことができる。
【００９４】
また、挿入方向判定手段７６によって誤った判定がされる場合は重送が発生している場合に限られているので、重送状態であると判定された場合には、挿入方向判定の判定結果に拘わらず、小切手に対する処理内容を同一にしている。この結果、挿入方向判定手段７６によって誤った判定が行われる場合を一律に排除することができる。
【００９５】
さらに、重送状態であると判定されている場合には、第２処理内容に従って、小切手６を第２収納ポケット１６に排出しているので、重送された小切手を第２収納ポケット１６から取り出して、方向などを揃えた後に再び小切手処理装置１に掛ける作業が容易になる。
【００９６】
（その他の実施の形態）
上記の例では、有効／無効設定手段８２は重送判定を行うか否かについて有効／無効を設定していたが、重送判定は常に行われるが、その判定結果を有効とするか無効とするかを設定するものであってもよい。また、これと同様に、上記の例では、有効／無効設定手段８２は挿入方向判定を行うか否かについて有効／無効を設定していたが、挿入方向判定は常に行われるが、その判定結果を有効とするか無効とするかを設定するものであってもよい。
【００９７】
また、上記の例では、有効／無効設定手段８２は、制御手段８３が挿入方向判定のみが有効に設定されている状態を検出した場合に、重送検出器６２による重送判定を強制的に有効に設定するようにしているが、この場合に挿入方向判定を強制的に無効に設定してもよい。
【００９８】
すなわち、挿入方向判定のみが有効な第３パターンに設定されている場合には、重送判定の無効の設定を優先して、強制的に挿入方向判定および重送判定の両方が無効の第１パターンに移行させる。挿入方向判定が単独で行われる場合には、その誤った判定によって読み取り対象の記録媒体に担持されている情報と読み取った磁気インク文字の情報とが対応しなくなってしまい、その後処理に支障をきたすという問題がある。しかし、重送状態を判定しない場合には記録媒体の挿入方向の判定も行わないようにすることにより、このような問題の発生を未然に回避できる。
【００９９】
なお、挿入方向判定手段７６、重送判定手段６２ａ、有効／無効設定手段８２、制御手段８３および搬送状態判定処理動作は小切手処理装置１を駆動制御するためのプログラムとして提供される。この場合、小切手処理装置１で実行されることにより小切手処理装置１の駆動を制御するプログラムとすることができる。また、コンピュータシステム７３の側で実行されることにより、小切手処理装置１の駆動を制御するプログラムとすることができる。
【０１００】
さらに、上記の例は本発明を小切手読取装置に適用したものであるが、本発明の処理方法は、小切手以外の磁気インク文字が印刷されている記録媒体を取り扱う場合にも同様に適用できる。
【図面の簡単な説明】
【０１０１】
【図１】本発明を適用した小切手処理装置の斜視図および平面図である。
【図２】小切手処理装置の内部構造を示す説明図である。
【図３】重送検出器の構成例を説明するための概略平面図である。
【図４】小切手処理装置の制御系を示す概略ブロック図である。
【図５】挿入方向判定手段による判定動作を示す説明図および概略フローチャートである。
【図６】重送判定および挿入方向判定の設定処理動作を説明するための説明図である。
【図７】搬送状態判定処理動作を示す概略フローチャートである。
【符号の説明】
【０１０２】
１  小切手処理装置、２  本体ケース、３  垂直軸、４，５  開閉カバー、６  小切手、７  小切手搬送路、８  上流側搬送路部分、９  湾曲状搬送路部分、１０  下流側搬送路部分、１１  小切手供給部、１２  小切手収納部、１３  第１分岐通路、１４  第２分岐通路、１５  第１収納ポケット、１６  第２収納ポケット、１７  切換レバー、２１  表面側コンタクトイメージスキャナ、２２  裏面側コンタクトイメージスキャナ、２３  磁気ヘッド、２４  印刷機構、３０  送り出しモータ、３１  搬送モータ、３２  駆動プーリ、３３  無端ベルト、４１〜４７  搬送ローラ、５１〜５７  押えローラ、５８  伝達歯車、５９  排出ローラ、６１  用紙長検出器、６２  重送検出器、６２ａ  重送判定手段、６３  ジャム検出器、６４  印刷検出器、６５  排出検出器、７１  制御部、７２  通信ケーブル、７３  コンピュータシステム、７３ａ  表示器、７３ｂ  操作部、７４  信号処理部、７５  操作部、７６  挿入方向判定手段、７  文字認識手段、７８  第１判定手段、７９  第２判定手段、８０  表文字信号パターン、８１  裏文字信号パターン、８２  有効／無効設定手段、８３  制御手段
【図１】
2009046297.tif 000003
【図２】
2009046297.tif 000004
【図３】
2009046297.tif 000005
【図４】
2009046297.tif 000006
【図５】
2009046297.tif 000007
【図６】
2009046297.tif 000008
【図７】
2009046297.tif 000009